Podtech/llm-jp-corpus-v4-ja_patent huggingface dataset:
(57)【要約】      （修正有）【課題】取り外し交換可能な装飾板を組み込むことにより、一個の鍵カバーに対して様々な装飾を施せるようにする鍵カバーを提供する。【解決手段】カバー本体４の透明板接着用窪み３に透明板１を接着し、カバー本体４の下面より装飾板５を透明板１の内側にはめ込み、その下面に鍵の取手部６を入れ、鍵の取手部６がみだりに動かないように緩衝材７を底板８の内側に入れ、底板８をビス穴２によりビス９を用いて取り付ける事により、着脱自在となり、内部の装飾板５を交換可能にする。【選択図】図１
0003172599.tif 000002
【実用新案登録請求の範囲】
【請求項１】
箱の壁面の一部分が鍵の差込部の入る空所を有するように形成され、箱の上面に装飾板が取替え自在に配置され、箱の内部が鍵の取手部の入る空間を形成するように構成された箱状の装飾板付鍵カバー。
【請求項２】
箱の壁面の上縁に装飾板をビス等を用いて着脱自在に取り付けたことを特徴とする請求項１に記載の装飾板付鍵カバー。
【請求項３】
箱の壁面の下縁に底板をビス等を用いて着脱自在に取り付け、箱の上面を透明版にしてその内側に装飾板を配置したことを特徴とする請求項１に記載の装飾板付鍵カバー。
【請求項４】
箱の底板の内側に緩衝材を配設したことを特徴とする請求項１、請求項２または請求項３に記載の装飾板付鍵カバー
【考案の詳細な説明】
【技術分野】
【０００１】    本考案は、鍵カバーに装飾板を付けるようにしたものに関するものである。
【背景技術】
【０００２】  登録実用新案第３１４８３２２号の鍵カバーはカバー本体に造形を施しているために一つの装飾しか表現する事が出来なかったため、鍵カバーに取り外し交換可能な装飾板を組み込む事により様々な装飾を表現出来、前述の欠点を解決しようとするものである。
【先行技術文献】
【特許文献】
【特許文献】登録実用新案第３１４８３２２号
【考案の概要】
【考案が解決しようとする課題】
【０００３】本考案の課題は、先行技術の欠点を解決し、鍵カバーに取替え自在な装飾板
を組み込む事により、一個の鍵カバーに対して様々な装飾を施せるようにすることに有る
【課題を解決するための手段】
【０００４】本考案は鍵カバーに装飾板を取替え自在に組み込むようにした為、次の手段を採用した。
カバー本体の壁面の一部分が鍵の差込部の入る空所を有するように形成され、カバー本体の上面に装飾板
が取替え自在に配置され、箱の内部が鍵の取手部の入る空間を形成するように構成された箱状の装飾板付鍵カバー。【０００５】本考案は、装飾板を箱の上面に着脱自在に取り付けられるようにするため、次の手段を採用した。
カバー本体の壁面の上縁に装飾板をビス等を用いて取り付けることで着脱自在にする。【０００６】本考案は、カバー本体に下方から装飾板を差し込み、次いで鍵の取手部を差し込み、最後に底板を取り付けられるようにするため、次の手段を採用した。
カバー本体の壁面の下縁に底板をビス等を用いて着脱自在に取り付け、カバー本体の上面を透明版にしてその内側に装飾板を配置した。【０００７】本考案は、カバー本体に挿入した鍵の取手部がみだりに動いたりしないようにするため、次の手段を採用した。
カバー本体の底板の内側に緩衝材を配設した。
【考案の効果】
【０００８】上述の様に本考案の装飾板付き鍵カバーは、上面部分に透明板を組み込む事により
内側の装飾板への劣化、キズ、汚れの防止を行い、内部の鍵と底板の内側に緩衝材を組み込む事により、鍵がみだりに動かない様、固定できる、底板をビス等により着脱自在に取り付けたことにより、内部の装飾板が交換自在に成り、一つの鍵カバーに対して、様々な装飾を表現することが出来る。
【図面の簡単な説明】
【０００９】
【図１】本考案の装飾板付き鍵カバーの１実施例を示す分解図である
【図２】本考案の装飾板付き鍵カバーの一実施例の斜視図であり（ａ）は装飾板（ｂ）は鍵カバーを示す。
【実施例】
【００１０】以下、添付図面に従って一実施例を説明する、カバー本体４の壁面の一部分が鍵の差込部１１が入るように形成され、カバー本体４の上面に装飾板５が着脱自在に配置され、カバー本体４の内部が鍵の取手部６の入る空所１０を形成する、このカバー本体４は鍵の取手部６を内部に入れる事が一つの目的であり、鍵の形やサイズに適応した形状を取る事が望ましい。【００１１】図２のカバー本体４の壁面の上縁と装飾板５にビス穴２を設けビス９を用いて着脱自在に取り付けた一実施例。【００１２】カバー本体４の壁面の下縁と底板にビス穴２を設け、ビス９を用いて着脱自在に取り付け、カバー本体４の上面に透明版１を透明版接着用窪み３に取り付け、その内側に装飾板５を配置する、上面の透明版１は内側に配置した装飾板５の保護が目的であり、強化ガラスや強化プラスチック等が望ましく、尚且つ内側の装飾板５を見通せる必要があり無色透明が望ましい。【００１３】カバー本体４の底板８の内側に緩衝材７を配設し、内部の隙間を埋め、鍵の取手部６がみだりに動かないようにする、この緩衝材７はウレタン樹脂パッキン、ゴムパッキン、フッ素樹脂パッキン等で形成される。
【符号の説明】
【００１４】  １  透明板
２  ビス穴
３  透明板接着用窪み
４  カバー本体
５  装飾板
６  鍵の取手部
７  緩衝材
８  底板
９  ビス
１０  空所
１１  鍵の差込部
【図１】
0003172599.tif 000003
【図２】
0003172599.tif 000004
(57)【要約】      （修正有）【課題】支払済みのテープが隠れず、カバー自体が軽く、取り付け取り外しが簡単で、衛生的に洗濯が気軽に出来る持込レジカゴの開口部カバーを提供する。【解決手段】気軽に洗濯が出来る布地などを長方形にし、端一箇所にゴムを縫い付け、また、中央にテープ布を縫い付けそのテープ布にマジックテープを縫い付けてなる。【選択図】図２
0003172596.tif 000002
【実用新案登録請求の範囲】
【請求項１】
洗濯が気軽に出来る布地などで出来ており、カバーは長方形をしており長い方端中央一箇所にゴムをつける。また、カバー中央にはテープ布を縫い付けカゴの取手に通して折り返した時に止まるようにマジックテープを縫い付けてなる持込レジカゴの開口部カバー。（図２）
【考案の詳細な説明】
【技術分野】
【０００１】
本考案は、持込レジカゴの開口部カバーに関する。
【背景技術】
【０００２】
従来、持込レジカゴの開口部カバーは樹脂製の蓋や、断熱性布、あるいは、カバーにフックや、カギが付帯したり、あるいは開口部カバー単体でなく、箱型、袋状といった本体とで構成されている。
【０００３】
しかしながら、レジ袋が有料になり、買い取レジカゴの制度が出来た今日、入れ替える手間がないのは勿論の事、食料品の買い物では、やわらかい物が潰れたり、玉子が割れる心配もなく、カゴが汚れた時も簡単に汚れを落とす事もでき、大変便利であるが、購入した商品が丸見えという欠点があった。
【先行技術文献】
【特許文献】
【０００４】
【特許文献１】特開２００９−２６１６４１
【特許文献２】特開２００７−００７２３５
【特許文献３】実登３１４５５９２
【考案の概要】
【考案が解決しようとする課題】
【０００５】
本考案は、以上のような従来の欠点に鑑み、支払い済みのテープが隠れず、カバー自体が軽く、取り付け取り外しが簡単で、衛生的に洗濯が気軽に出来る持込レジカゴの開口部カバーを目的としている。
【課題を解決するための手段】
【０００６】
上記目的を達成するために、本考案は、軽く、洗濯が気軽に出来る布で出来ていて、ゴムを使用して、取り付け取り外しが簡単に出来る持込レジカゴの開口部カバーを構成している。
【考案の効果】
【０００７】
以上の説明から明らかなように、本考案にあたっては次に列挙する効果が得られる。
（１）買い物後の商品が見えないので、レジカゴが気兼ねなく使用できる。
（２）開口部のみのカバーなので、軽く、カバーとカゴはゴムにより、簡単に脱着が出来、布で出来ているので、繰り返し洗濯も出来、実用的で、衛生的である。
（３）カバーはカゴの横にゴムで取り付けてあるので、忘れるという事がない。
（４）開口部のみのカバーなので、レジ定員さんも、購入商品をかごに入れる時や、レジ済みの印のテープを貼るときも普段どおりの動作でよいので、スムーズに出来、レジが混んでいる時は後のお客さんにも迷惑がかからない。
（５）カバーで被せるだけなので、購入の量や、カゴからはみ出す商品、ねぎや大根といった物にも対応できるし、中央のテープ布にマジックテープで止めることによりカバーのずれがない事と、誰でも簡単に扱う事が出来る。
【図面の簡単な説明】
【０００８】
【図１】表図
【図２】裏図
【図３】かごにカバーした図
【図４】中央のテープをカゴの取手に通しマジックテープで止めようとする図
【考案を実施するための形態】
【０００９】
レジカゴの開口部より大きめの長方形の洗濯が気軽に出来る布地などで出来ており、カバーの長い方の一辺中央に一箇所ゴムが縫い付けてある。
【００１０】
カバーの中央にカゴの取手に通して折り返したときに止まるようにマジックテープが縫い付けてあるテープ布を縫製する。
【図１】
0003172596.tif 000003
【図２】
0003172596.tif 000004
【図３】
0003172596.tif 000005
【図４】
0003172596.tif 000006
【手続補正書】
【提出日】平成23年10月17日(2011.10.17)
【手続補正１】
【補正対象書類名】実用新案登録請求の範囲
【補正対象項目名】全文
【補正方法】変更
【補正の内容】
【実用新案登録請求の範囲】
【請求項１】
カバーにおいて、
（１）布地で出来ている、
（２）長方形をしており長い方の方端の中央に１箇所ゴムがついている、
（３）カバー中央にカバー長手方向に沿ってテープ布がカバーの裏側に縫い付けてあり、このテープ布には両端のカバー側にマジックテープ（登録商標）の片方が縫い付けてあり、テープ布の両端をそれぞれ、左右籠の取手に下から通し、折り返した時にテープ布の端のマジックテープ（登録商標）が、下側になるテープ布に止まるようにもう片方のマジックテープ（登録商標）がそれぞれに縫い付けてある、
以上からなる持ち込みレジカゴの開口部カバー。
【手続補正２】
【補正対象書類名】明細書
【補正対象項目名】０００７
【補正方法】変更
【補正の内容】
【０００７】
以上の説明から明らかなように、本考案にあたっては次に列挙する効果が得られる。
（１）買い物後の商品が見えないので、レジカゴが気兼ねなく使用できる。
（２）開口部のみのカバーなので、軽く、カバーとカゴはゴムにより、簡単に脱着が出来、布で出来ているので、繰り返し洗濯も出来、実用的で、衛生的である。
（３）カバーはカゴの横にゴムで取り付けてあるので、忘れるという事がない。
（４）開口部のみのカバーなので、レジ定員さんも、購入商品をかごに入れる時や、レジ済みの印のテープを貼るときも普段どおりの動作でよいので、スムーズに出来、レジが混んでいる時は後のお客さんにも迷惑がかからない。
（５）カバーで被せるだけなので、購入の量や、カゴからはみ出す商品、ねぎや大根といった物にも対応できるし、中央のテープ布にマジックテープ（登録商標）で止めることによりカバーのずれがない事と、誰でも簡単に扱う事が出来る。
(57)【要約】      （修正有）【課題】鉄筋配筋を必要としない塀用コンクリートブロックを提供する。【解決手段】互いのコンクリートブロック同士、左右、上下の凸部と凹部を連結し、モルタルを充填して固める。【選択図】図１
0003172941.tif 000002
【実用新案登録請求の範囲】
【請求項１】
鉄筋配筋を必要としない塀用コンクリートブロック
【考案の詳細な説明】
【技術分野】
【０００１】境界線及び敷地に、しきり、囲いが必要な場合、塀として用いるコンクリートブロック。
【背景技術】
【０００２】従来、ブロックを塀として積む場合、ブロックの間に縦横共モルタル充填をし、補強する鉄筋を配筋し、全体的塀として組み立てている。
【考案の開示】
【考案が解決しようとする課題】
【０００３】コンクリートブロックを組み立て塀を施工する時、鉄筋を配筋しないで施工することができるコンクリートブロックの製品作製。
【課題を解決するための手段】
【０００４】このコンクリートブロックの左右隣り合う連結するブロックの一方の端を凹部とし、他の一方を凸部とする。又上下の積み合うブロックの下のブロックの上端を凹部とし、上に乗るブロックの下端を凸部とする。左右上下共お互いのブロック同士がからみ合う、その連結部にモルタル充填する。
【考案の効果】
【０００５】左右上下のコンクリートブロック共、お互い同士のブロックが凹凸の部分に入り込みからみ合うので、この箇所にモルタルを充填する事で、鉄筋で補強する事と同じような連結効果をもたらし一体壁を形成する。
【考案を実施するための最良の状態】
【０００６】このコンクリートブロックを積み上げる基礎部を水平に一直線に仕上げ、基礎モルタルと一段目のブロックを隙間が出来ないように水平に並べる。ブロック同士も充分に連結部にモルタルが入り込むように少し柔らか目のモルタルを使用し、連結部に隙間ができないように施工する。
上下のブロックのモルタル充填も同じように行う。モルタル充填を隙間なく充分施工すれば、強固な一体壁を形成する事が出来る。
【図面の簡単な説明】
【０００７】
【図１】本考案の斜視図
【図２】本考案の正面図
【図３】本考案の上面図
【符号の説明】
【０００８】▲１▼はブロック横凹部分
▲２▼はブロック横凸部分
▲３▼はブロック上部凹部分
▲４▼はブロック下部凸部分
【図１】
0003172941.tif 000003
【図２】
0003172941.tif 000004
【図３】
0003172941.tif 000005
【手続補正書】
【提出日】平成23年8月16日(2011.8.16)
【手続補正１】
【補正対象書類名】実用新案登録請求の範囲
【補正対象項目名】全文
【補正方法】変更
【補正の内容】
【実用新案登録請求の範囲】
【請求項１】
互いのコンクリートブロック同士、左右、上下の凸部と凹部を連結し、モルタル充填して固める事で、鉄筋配筋を必要としない塀用コンクリートブロックを構成し、組立てる。
【手続補正２】
【補正対象書類名】明細書
【補正対象項目名】０００７
【補正方法】変更
【補正の内容】
【０００７】
【図１】本考案の斜視図
【図２】本考案の正面図
【図３】本考案の上面図
【図４】本考案の組立構成図
【手続補正３】
【補正対象書類名】図面
【補正対象項目名】図４
【補正方法】追加
【補正の内容】
【図４】
0003172941.tif 000006
【手続補正書】
【提出日】平成23年10月17日(2011.10.17)
【手続補正１】
【補正対象書類名】実用新案登録請求の範囲
【補正対象項目名】全文
【補正方法】変更
【補正の内容】
【実用新案登録請求の範囲】
【請求項１】
互いのコンクリートブロック同士、左右、上下の凸部と凹部を連結し、モルタル充填して固める事で、鉄筋配筋を必要としない塀用コンクリートブロック。
(57)【要約】      （修正有）【課題】連続して固形燃料を送るドラム式の燃料供給筒を備えた熱量が一定になるようにする投入装置を提供する。【解決手段】燃料供給筒の外側を一周したギア６とギアモーター７から得た動力をユニバーサルジョイント８を介してギアを噛ませることで動力を伝えさせてドラム式燃料供給筒５が回転し、ドラム式燃料供給筒内にはらせん状に張り巡らした仕切板１３と仕切板の上部に固定した仕切棒１４により、固形燃料１は仕切棒と仕切棒の間に挟め、仕切板と仕切板の間をドラム式による回転力により移動する固形燃料を抑えることで目詰まりせずに燃焼炉内へと固形燃料を送り、プレッシャープレート１５により燃焼炉内からの火の侵入を抑える機能を有する装置。【選択図】図２
0003172950.tif 000002
【実用新案登録請求の範囲】
【請求項１】
燃料供給筒の外側にギアが一周してあり、そのギアはギアモーターの動力をユニバーサルジョイントを介して回転するギアと噛ませることで燃料供給筒が回転し、燃料供給筒内にらせん状に張り巡らした仕切板と仕切板の上部に固定してある金属またはゴム等でできた棒状の仕切棒により固形燃料を抑え込むことで、ホッパーからでた固形燃料を燃焼炉内へと送る装置。
【請求項２】
燃料供給筒の出口付近に燃焼炉内への固形燃料の調整と、燃焼炉内からの火が侵入するのを防ぐ目的のプレッシャープレートを備えていることを特徴とする請求項１記載の装置。
【考案の詳細な説明】
【技術分野】
【０００１】  本発明は、大きさの異なる固形燃料が燃焼炉内を目詰まりせずに連続供給するための装置である。
【背景技術】
【０００２】  従来の固形燃料を燃焼炉内に連続供給する装置は、外部のホッパーから供給スクリューを介して燃焼炉内に送り込む装置であった。
【先行技術文献】
【特許文献】
【０００３】  実用新案出願２０１０−５３７８のように燃料供給スクリューを用いた投入装置は大きさの異なる固形燃料により目詰まりを起こす可能性が高い。【０００４】  また、実用新案出願２００１−４１９５のようにバッチ式は、燃料の投入の際は投入する人が必要であり、熱量にばらつきを生じさせる。
【考案の概要】
【考案が解決しようとする課題】
【０００５】  本考案で解決しようとする課題は、連続して固形燃料を送るドラム式の燃料供給筒を備えた熱量が一定になるようにする投入装置である。
【課題を解決するための手段】
【０００６】  本発明は、燃料を供給するドラム式燃料供給筒の外側を一周して固定したギアがあり、ドラム式燃料供給筒を回転するための動力を発生させるモーターをユニバーサルジョイントで介して、ドラム式燃料供給筒の外側を一周して固定してあるギアに動力を伝えるためのギアと噛み合せることでドラム式燃料供給筒を回し、固形燃料を燃焼炉内に送り込む。【０００７】  また、ドラム式燃焼供給筒内はらせん状に仕切板があり、仕切板の上部には、等間隔で棒状の仕切棒があり、仕切棒と仕切棒の間に固形燃料を挟むことで仕切板と仕切板の間を移動する固形燃料を抑えることにより燃焼炉内に送ることができる。【０００８】  ドラム式燃焼供給筒内の出口付近に、プレッシャープレートを設けることで、逆火防止となる。
【考案の効果】
【０００９】  本発明は、ドラム式燃料供給筒を用いることで、大きさの異なる固形燃料を燃焼炉内に連続投入しても目詰まりなく燃焼炉内に送るので、目詰まりによる燃焼の停止を防ぎ、安定燃焼を可能にする。【００１０】  ドラム式燃料供給筒内出口付近にあるプレッシャープレートにより、燃焼炉内からの火がドラム式燃料供給筒内に流れることを防ぎ、ドラム式燃料供給筒内及びホッパーにある固形燃料を守り、二次被害を防ぐ。
【図面の簡単な説明】
【００１１】
【図１】全体図
【図２】断面図
【図３】ドラム式燃焼供給等内の立体図
【図４】仕切板の横断面図
【図５】仕切板の縦断面図
【考案を実施するための形態】
【００１２】  固形燃料１を投入するホッパー２があり、ホッパー２に投入した固形燃料１はダンパーモーター３によりドア４が開きドラム式燃料供給筒５に入る
【００１３】  ドラム式燃料供給筒５の外側にはギア６が一周して固定されていて、このギア６とギアモーター７からユニバーサルジョイント８を介してギア９に動力が伝わりドラム式燃料供給筒５が回転する。
【００１４】  ドラム式燃料供給筒５の外側で固定してあるギア６とギアモーター７からの動力を伝えるギア９には、周りからのゴミなどを噛まないようにギアケース１０をつける。
【００１５】  ドラム式燃料供給筒５と燃焼炉１１を有する機械の外側の接する部分には、ベアリング等の回転体１２により、ドラム式燃料供給筒５の回転を滑らかにし、同時に回転による振動を吸収する。
【００１６】  ドラム式燃料供給筒５内には、らせん状に張り巡らした仕切板１３と仕切板１３の上部に固定した金属またはゴム等の仕切棒１４があり、等間隔にある仕切棒１４と仕切棒１４との間に固形燃料１を挟むことで、仕切板１３と仕切板１３との間を移動する固形燃料１抑え、ドラム式燃料供給筒５が回転することで上へと固形燃料１を送る。
【００１７】  送られてきた固形燃料１は回転力でプレッシャープレート１５の前で貯まり、貯まった固形燃料１は、回転力で移動してきた固形燃料１によりプレッシャープレート１５を押し、攪拌部１６へときて燃焼炉１１内に入り燃焼される。
【産業上の利用可能性】
【００１８】  本装置は、廃棄物を燃料にするために加工した固形燃料１を用いて温水を作る温水器や温風器等に適していて、特に廃材等の加工した固形燃料又は分別された廃材の様に大きさにばらつき大きいの場合に効果を発揮する。
【符号の説明】
【００１９】  １  固形燃料
２  ホッパー
３  ダンパーモーター
４  ドア
５  ドラム式燃料供給筒
６  ギア
７  ギアモーター
８  ユニバーサルジョイント
９  ギア
１０  ギアケース
１１  燃焼炉
１２  回転体
１３  仕切板
１４  仕切棒
１５  プレッシャープレート
１６  攪拌部
【図１】
0003172950.tif 000003
【図２】
0003172950.tif 000004
【図３】
0003172950.tif 000005
【図４】
0003172950.tif 000006
【図５】
0003172950.tif 000007
(57)【要約】      （修正有）【課題】多人数でもゲームができ、新たなゲーム方法を自由に創作する事のできるカードを提供する。【解決手段】カードは、８種類のマーク（スート）で構成されており、各マークが各々違う色であり、各マークのカードの枚数は１５枚であり、合計で１２０枚で構成される。【選択図】図１
0003172947.tif 000002
【実用新案登録請求の範囲】
【請求項１】
８種類のマーク（スート）で構成されたカード。
【請求項２】
各マークが各々違う色であり、各マークが「０」から「１４」までの１５枚、８種類の合計１２０枚とジョーカーで構成されたカード。
【考案の詳細な説明】
【技術分野】
【０００１】  本考案は、８種類のマーク（スート）で構成されたトランプカードに関するものである。
【背景技術】
【０００２】  従来のトランプは２色（黒と赤）、４種類のマーク（スート）、スペード、ハート、ダイヤ、クラブ各々１３枚、合計５２枚とジョーカーで構成されている。
【考案の概要】
【考案が解決しようとする課題】
【０００３】  多人数でもゲームができ、新たなゲーム方法を考えだす事の出来るカードを提供する。
【課題を解決するための手段】
【０００４】  このカードは、８種類のマーク（スート）で、各マークの色を変えて８色にする事によって、従来のトランプカードでは考えられなかった新しいカードゲームのやり方も考えられるし、各マークの枚数を従来の「Ａ（１）からＫ（１３）」の１３枚に新たに「０」と「１４」を加えて１５枚にすることによって、合計１２０枚とジョーカーになり多人数でもゲームができる。
【考案の効果】
【０００５】  ８種類全てのカードを使用せずに、６種類、５種類だけを使ってのゲームも可能で、４種類ずつ分けると２組の従来と同じトランプとしても使える。【０００６】  又、各マーク１から８までを使用することによって、８×８＝６４枚、各マーク１から１０まで使用なら８０枚でゲームをすることも可能であり、ゲームをする人数、ゲームの方法等により、枚数を調節して遊ぶことが出来る。【０００７】  従来のトランプゲームの遊び方はすべて可能であり、さらにマーク（スート）の種類、枚数、色数が増えたことにより、今まで考えられなかった、複雑で、より変化に富んだ遊び方を考えることができる。【０００８】  創造力を高め、思考力を育む効果が期待できるゲームカードである。
【考案を実施するための形態】
【０００９】  以下、本考案の実施の形態を図１〜図２に基づいて説明する。
【実施例】
【００１０】  図１は、従来のトランプの４つのマーク（スート）であるスペード、ハート、ダイヤ、に替わる、８種類のマークの一例である。【００１１】  図２は、「０」から「１５」までのカードのマークの配置例とジョーカーである。
【図面の簡単な説明】
【００１２】
【図１】８種類のマーク（スーツ）である。
【図２】１つのマークの「０」から「１５」までの配置例とジョーカーである。
【図１】
0003172947.tif 000003
【図２】
0003172947.tif 000004
【手続補正書】
【提出日】平成23年10月13日(2011.10.13)
【手続補正１】
【補正対象書類名】実用新案登録請求の範囲
【補正対象項目名】全文
【補正方法】変更
【補正の内容】
【実用新案登録請求の範囲】
【請求項１】
８種類のマーク（スート）が表示されたカードで構成されたトランプカードセット。
【請求項２】
請求項１記載の各マークが各々違う色であり、各マークのカード枚数が従来のトランプの枚数より２枚多い１５枚で構成されたカードセット。
【手続補正２】
【補正対象書類名】明細書
【補正対象項目名】全文
【補正方法】変更
【補正の内容】
【考案の詳細な説明】
【技術分野】
【０００１】  本考案は、８種類のマーク（スート）が表示されたカードで構成されたトランプカードセットに関するものである。
【背景技術】
【０００２】  従来のトランプは２色（黒と赤）、４種類のマーク（スート）、スペード、ハート、ダイヤ、クラブ各々１３枚、合計５２枚とジョーカーで構成されている。
【考案の概要】
【考案が解決しようとする課題】
【０００３】  多人数でもゲームができ、創造力を高めて新たなゲーム方法を考えだす事の出来るカードセットを提供する。
【課題を解決するための手段】
【０００４】  このカードセットは、８種類のマーク（スート）で、各マークの色を変えて８色にして、各マークの枚数を従来の「Ａ（１）からＫ（１３）」の１３枚から、新たに「０」と「Ｇ（１４）」を加えて１５枚にすることによって、合計１２０枚とジョーカーになる。そのため多人数でもゲームができるし、従来のトランプカードでは考えられなかった新しいカードゲームのやり方も考えられる。
【考案の効果】
【０００５】  ８種類全てのカードを使用せずに、６種類、５種類だけを使ってのゲームも可能で、４種類ずつ分けると２組の従来と同じトランプとしても使える。ゲームをする人数、ゲームの方法等により、枚数を調節して遊ぶことが出来る。【０００６】  従来のトランプゲームの遊び方はすべて可能であり、さらにマーク（スート）の種類、枚数、色数が増えたことにより、今まで考えられなかった、複雑で、より変化に富んだ遊び方を考えることができる。創造力を高め、思考力を育む効果が期待できるゲームカードセットである。
【考案を実施するための形態】
【０００７】  以下、本考案の実施の形態を図１〜図３に基づいて説明する。
【図面の簡単な説明】
【０００８】
【図１】８種類のカード「０」から「Ｇ（１４）」まで合計１２０枚とジョーカーの説明図である。
【図２】「Ａ（１）」のカード８種類のマークの一例を示す正面図である。
【図３】１種類のマークの「０」から「Ｇ（１４）」までのマークを配置した１５枚のカードとジョーカーの正面図である。
【手続補正３】
【補正対象書類名】図面
【補正対象項目名】全図
【補正方法】変更
【補正の内容】
【図１】
0003172947.tif 000005
【図２】
0003172947.tif 000006
【図３】
0003172947.tif 000007
(57)【要約】【課題】釣り針にチューブ入り餌を付ける時、釣り針が小さいため、正しい位置に正確にしかも適量の餌を付けることが難しかったが、これらの一連の作業を短時間で簡単に出来るようにする。【解決手段】マグネット板３と誘導スチール棒４を使うことにより、釣り針を一定の位置に固定する。誘導スチール棒４に沿って釣り針を動かして餌を掬うことにより餌が釣り針の正しい位置に常に付くようにした。また餌のチューブをアルミ板３に固定することにより片手で適量の餌を目視しながら絞り出す事が出来るようにした。【選択図】図１
0003172948.tif 000002
【実用新案登録請求の範囲】
【請求項１】
マグネット板３と誘導スチール棒４を使用することにより釣り針を餌抽出パイプ１の口に一定の角度と位置で当てることにより簡単に正しい位置に適量の餌を付けることが出来、これら一連の動作を手元で容易に出来る釣り餌付け補助具。
【考案の詳細な説明】
【技術分野】
【０００１】本考案は渓流釣り用のチューブ入り餌を釣り針の正しい位置に正確にしかも適量だけを容易に付けることが出来、しかも片手で持てるコンパクトな道具に関するものである。
【背景技術】
【０００２】従来はチューブから直接又は手を使って付けており、このような片手で持てる補助具は無かった。従って餌を釣り針の正しい位置に正確に付けることや常に適量だけを絞り出して付けることが難しいという問題があった。また、手に余分な餌が付いてしまうということにもなっていた。
【考案の概要】
【考案が解決しようとする課題】
【０００３】解決しようとする問題点は餌を釣り針の正しい位置に上手く付けたり、手に余分な餌を付けずに常に適量だけを絞り出して付けることが簡単ではなく、一連の作業に時間が掛かり過ぎる点である。
【課題を解決するための手段】
【０００４】本考案はマグネット板３と誘導スチール棒４を使用し、餌抽出パイプ１の口にいつでも同じ角度と同じ位置で釣り針を当て、正しい位置に正確に餌を付けることが出来ること。その上餌の量を目視しながら適量だけを絞り出すことが出来るという事を最も主要な特徴とする。
【考案の効果】
【０００５】本考案は釣り針に餌を正しい位置に正確に付けること、そして手に余分な餌を付け無駄にすることも無く常に適量だけを付けるという一連の作業をスムーズに行うことにより同じ時間内で釣る回数をより多くし釣り上げる機会を増やすという利点がある。
【図面の簡単な説明】
【０００６】
【図１】断面図
【図２】平面図
【考案を実施するための形態】
【０００７】以下、本考案の実施の形態について説明する。
（イ）．アルミ板２の上面にマグネット板３を取り付けその上に誘導スチール棒４を渡し、その先端と餌抽出パイプ１との間隔を調整して固定ボルト５で固定する。
（ロ）．餌抽出パイプ１に、餌チューブキャップ８を下から差し込んでキャップ固定ネジ６で固定する。
（ハ）．釣り針をマグネット板３に近づけて誘導スチール棒４に引っかけ餌抽出パイプ１の方へ移動させてチューブから絞り出した餌を掬い取る。
【符号の説明】
【０００８】１  餌抽出パイプ
２  アルミ板
３  マグネット板
４  誘導スチール棒
５  固定ボルト
６  キャップ固定ネジ
７  スチール棒固定ナット
８  餌チューブキャップ
【図１】
0003172948.tif 000003
【図２】
0003172948.tif 000004
【手続補正書】
【提出日】平成23年10月28日(2011.10.28)
【手続補正１】
【補正対象書類名】実用新案登録請求の範囲
【補正対象項目名】全文
【補正方法】変更
【補正の内容】
【実用新案登録請求の範囲】
【請求項１】
アルミ板と、アルミ板上面に固定されたマグネット板と、マグネット板の上に渡され、固定ボルトと、スチール棒固定ナットによってアルミ板上方に一端が固定された誘導スチール棒と、アルミ板を貫通し上側の開口が誘導スチール棒の他端と近接して設けられた餌抽出パイプと、前記餌抽出パイプの下方に差し込まれアルミ板にキャップ固定ネジによって固定された餌チューブキャップからなる釣餌付け補助具。
(57)【要約】【課題】産業機械の摺動面保護カバーでマシングセンター等による切粉、切削液の飛散を防御する目的の保護カバーにおいて、従来から使用しているゴム等の弾性を持った材質で出来たワイパーの摩擦係数は比較的大きく、各カバーがスライドする際に大きな抵抗となり微細加工を必要とする工作機械においてはその摩擦抵抗が加工精度に影響を与える場合があるため、摩擦抵抗を抑えたワイパーの開発が必要であった。【解決手段】くの字に折り曲げられた摩擦係数の小さいPET樹脂板1を摺動するカバー面に押えつける様に設置することにより、ある程度のカバー面間距離の変動にも追従できるようにした上で、各カバーが互いにスライドする際にワイパーとカバー面間で発生する摩擦抵抗を小さくすることを可能とした。【選択図】  図1
0003172943.tif 000002
【実用新案登録請求の範囲】
【請求項１】
産業機械の摺動面保護カバーでマシングセンター等による切粉、切削液の飛散を防御する目的の、互いにはめ込まれた複数のカバーボックスを重ね合わせて成るテレスコピックカバーの各カバー面間に設置される、切粉、切削液の侵入防止用ワイパーであり、くの字に折り曲げられた摩擦係数の小さいポリエチレンテレフタラート（以下PETという）樹脂板をカバー面に押えつける様に設置することにより、ある程度のカバー面間距離の変動にも追従できるようにした上で、各カバーが互いにスライドする際にワイパーとカバー面間で発生する摩擦抵抗を極めて小さくできることを特徴としたPET製折り曲げワイパー
【考案の詳細な説明】
【技術分野】
【０００１】
本考案は、主として工作機械の保護カバー、その他一般産業機械の保護カバーとして活用するものに関する。
【背景技術】
【０００２】
従来よりテレスコピックカバーはスライドする各カバー面間に、粉塵、ダスト、切削液、種々溶液等の侵入防止としてワイパーが設けられており、工作機械の保護カバーとしてその役割を担っている。そしてそれらのワイパーはスライドするカバー面との間に隙間を生じさせないようにゴム等の弾性を持った材質で出来たワイパーの先端部分をカバー面に押えつけることでテンションを与え、ある程度のカバー面間距離の変動にも追従できるようにしている。その効果の反面、ワイパーとカバー面との間でテンションによる摩擦抵抗が生じ、各カバーがスライドする際の抵抗値増幅の原因となっている。
【考案の開示】
【考案が解決しようとする課題】
【０００３】
従来から使用しているゴム等の弾性を持った材質で出来たワイパーの摩擦係数は比較的大きく、各カバーがスライドする際に大きな抵抗となり微細加工を必要とする工作機械においてはその摩擦抵抗が加工精度に影響を与える場合があり、摩擦抵抗を抑えたワイパーの開発が必要であった。
【課題を解決するための手段】
【０００４】
本考案はかかる問題を解決するため鋭意研究し得られたもので、PET製折り曲げワイパーに関するものであり、くの字に折り曲げられた摩擦係数の小さいPET樹脂板をカバー面に押えつける様に設置することにより、ある程度のカバー面間距離の変動にも追従できるようにした上で、各カバーが互いにスライドする際にワイパーとカバー面間で発生する摩擦抵抗を極めて小さくすることにより問題点を解決している。
【考案の効果】
【０００５】
従来からのゴムワイパーを設置したテレスコピックカバーと比較して本考案のPET製ワイパーを設置したテレスコピックカバーでは極めて小さな抵抗でカバーのスライドが可能となり、優れた低摩擦効果が発揮された。
【図面の簡単な説明】
【０００６】
【図１】請求項1に記載のPET製折り曲げワイパーに関する断面図
【図２】請求項1に記載のPET製折り曲げワイパーに関する断面図
【実施例】
【０００７】
請求項1に記載のPET製折り曲げワイパーに関する断面図を図1に示す。
【０００８】
図1及び図2の断面図は請求項1に関するものであり、複数のカバーボックス3を重ね合わせて成るテレスコピックカバーの重ね合わせた各カバーボックス3の端部と押え板2の間にはさみ込む形で、くの字に折り曲げたPET製ワイパー1をネジ等で締結固定することで、PET製折り曲げワイパーは構成される。
【０００９】
くの字に折り曲げたPET製ワイパー1は重ね合わされたカバー面に押えつける様に設置され、ある程度のカバー面間距離の変動にも追従できるようにしている。
【符号の説明】
【００１０】
１  PET製ワイパー
２  押え板
３  カバーボックス
【図１】
0003172943.tif 000003
【図２】
0003172943.tif 000004
(57)【要約】      （修正有）【課題】ステンレスパイプの種類等の必要な表示を、見栄え良く、能率的に施すことができ、かつ、磨滅等により消失することがない表示を形成するステンレスパイプを提供する。【解決手段】ステンレスパイプ外表面に、レーザーマーキングがレーザー加工によって施されている。【選択図】図１
0003173000.tif 000002
【実用新案登録請求の範囲】
【請求項１】
パイプ外表面（２）に、レーザー加工によるレーザーマーキング（Ｍ）が施されていることを特徴とするステンレスパイプ。
【請求項２】
上記レーザーマーキング（Ｍ）が、少なくともＪＩＳマーク、ステンレス鋼管の種類、ＪＩＳ認定番号又は工場名（又は略号）若しくは事業場名（又は略号）、及び、製造業者名（又は略号）を、表示して成る請求項１記載のステンレスパイプ。
【請求項３】
上記レーザーマーキング（Ｍ）の溝底面（４）の表面粗さを、 0.2μｍ≦Ｒａ≦ 0.8μｍとすると共に、溝深さを（Ｈ）とすると 2.0μｍ≦Ｈ≦ 9.5μｍとした請求項１又は２記載のステンレスパイプ。
【考案の詳細な説明】
【技術分野】
【０００１】
本考案は、ステンレスパイプ（ステンレス鋼管）に関する。
【背景技術】
【０００２】
従来、ステンレスパイプ（定尺もの）について、ＪＩＳマーク、ステンレスパイプの種類、製造業者名等を、複数本を梱包した包装袋体等に表示し、又は、上記事項を表示した証紙（シール用紙）を上記包装袋体に貼着していた。あるいは、定尺ステンレスパイプに直接表示するには印刷したり、吹き付けや刷り込み等にて行っていた。
しかしながら、前者では、包装袋体等を紛失すると、ステンレスパイプの種類等の詳細が判らなくなったり、見栄えも良いとはいえなかった。また、後者では、パイプ表面の印刷等が磨滅等によって消える虞があった。（例えば、非特許文献１参照）。
【先行技術文献】
【特許文献】
【０００３】
【非特許文献１】日本工業標準調査会審議（日本工業規格協会）発行の「ＪＩＳ適合性評価―――日本工業規格への適合性の認証―――一般認証指針  ＪＩＳＱ１００１：２００９」平成２１年７月２０日改正
【考案の概要】
【考案が解決しようとする課題】
【０００４】
解決しようとする課題は、ステンレスパイプの種類や製造業者名等の表示が、見栄え良く、１本１本の製品毎に確実に、かつ、能率良く表示できない点である。さらに、上記表示が簡単に磨滅したり、消失する点である。
【課題を解決するための手段】
【０００５】
そこで、本考案は、パイプ外表面に、レーザー加工によるレーザーマーキングが施されている。
また、上記レーザーマーキングが、少なくともＪＩＳマーク、ステンレス鋼管の種類、ＪＩＳ認定番号又は工場名（又は略号）若しくは事業場名（又は略号）、及び、製造業者名（又は略号）を、表示して成る。
また、上記レーザーマーキングの溝底面の表面粗さを、 0.2μｍ≦Ｒａ≦ 0.8μｍとすると共に、溝深さをＨとすると 2.0μｍ≦Ｈ≦ 9.5μｍとしたものである。
【考案の効果】
【０００６】
本考案に係るステンレスパイプでは、レーザー加工によって、製品１本毎に、能率良く、鮮明に、しかも、磨滅等によって表示が消失しないように、常に安定して、必要な所定の表示を施し得る。
特に、サニタリー管として使用した場合に、腐食が発生しにくく、耐久性に優れると共に、衛生上も好ましい。
【図面の簡単な説明】
【０００７】
【図１】本考案の実施の一形態を示す説明図である。
【図２】要部拡大断面図である。
【考案を実施するための形態】
【０００８】
図１の説明図、及び、図２に示したその要部拡大断面図に於て、本発明に係るステンレスパイプＰは、そのパイプ外表面（外周面）２に、レーザー加工によってレーザーマーキングＭを凹設形成し、外表面２に直接にレーザーマーキングＭが施されている。
【０００９】
具体的には、このレーザーマーキングＭは、少なくともＪＩＳマーク、ステンレス鋼管の種類（日本工業規格による種類の記号）、ＪＩＳ認定番号又は工場名（又は略号）若しくは事業場名（又は略号）、及び、製造業者名（又は略号）を、表示して成る（図１参照）。一般的に所定長さに切断した定尺のステンレスパイプＰの外表面２には、上述の一連の内容を表したレーザーマーキングＭを、１箇所乃至複数箇所に施す。なお、ステンレスパイプＰとしては、無研磨パイプと、内外面を研磨した研磨パイプがある。
【００１０】
図２の拡大断面図に示したように、レーザーマーキングＭの溝底面４の表面粗さは、 0.2μｍ≦Ｒａ≦ 0.8μｍとする。また、溝深さをＨとすると、 2.0μｍ≦Ｈ≦ 9.5μｍとする。つまり、レーザー照射の条件を所定範囲に選定することで、このような表面粗さに溝底面４を形成し、また、溝深さＨを設定する。
【００１１】
上記表面粗さについて、Ｒａ＜ 0.2μｍとするには、レーザー加工能率が低下し、レーザー照射条件の設定が難しくなる。逆に、Ｒａ＞ 0.8μｍとすると、腐食しやすくなって、見栄えも急に悪化する。
【００１２】
次に、上記溝深さＨについては、下限値未満では、磨滅等にて識別が難しくなったり、消失する虞があり、逆に、上限値を越えると、レーザー加工による溝底面４の加工硬化が進み、腐食が急激に進みやすくなり、かつ、加工時間が増大する。
従って、上記表面粗さＲａ、及び、溝深さＨを、上述の範囲内に設定するのが最も望ましい。
【実施例】
【００１３】
本考案者は以下の（ｉ）第１実施例と（ii）第２実施例に関して、ＪＩＳＺ２３７１“塩水噴霧試験”を行った。
（ｉ）第１実施例：
無研磨ステンレスパイプ
溝底面の表面粗さ：Ｒａ＝0.48μｍ
（ii）第２実施例：
内外研磨ステンレスパイプ
溝底面の表面粗さ：Ｒａ＝0.28μｍ
塩水噴霧試験の結果は、第１実施例と第２実施例のいずれについても、塩水濃度５％で500時間後、レーザーマーキングＭには、錆が発生しないことを確認した。
【００１４】
本考案は、以上説明したように、パイプ外表面２に、レーザー加工によるレーザーマーキングＭが施されているので、表示が消失することが防止でき、かつ、見栄え良く、１本１本毎に能率的に、ＪＩＳマーク、ステンレス鋼管の種類、さらに、製造業者名等を、表示できる。特に、サニタリー管として、長期間にわたって発錆を生ずることなく、耐久性に優れ、衛生面でも問題が生じない。
また、上記レーザーマーキングＭが、少なくともＪＩＳマーク、ステンレス鋼管の種類、ＪＩＳ認定番号又は工場名（又は略号）若しくは事業場名（又は略号）、及び、製造業者名（又は略号）を、表示して成るので、ＪＩＳマーク表示が認証された取得会社が、（製品品質に悪影響を与えずに）実施できる。
また、上記レーザーマーキングＭの溝底面４表面粗さを、 0.2μｍ≦Ｒａ≦ 0.8μｍとすると共に、溝深さをＨとすると 2.0μｍ≦Ｈ≦ 9.5μｍとしたので、発錆等の問題が発生せず、サニタリー管等として好適であり、しかも、表示が美しく見栄えが良いと共に、レーザー加工も確実に容易に行い得る。
【符号の説明】
【００１５】
Ｐ  ステンレスパイプ
２  パイプ外表面
４  溝底面
Ｍ  レーザーマーキング
【図１】
0003173000.tif 000003
【図２】
0003173000.tif 000004
(57)【要約】      （修正有）【課題】線香をセットしたとき線香から突き出た爪を摘み易くするとともに、この線香立てそのものを吊り下げることができる線香立てを提供する。【解決手段】薄い金属製の台座１とこの台座１の一部を折り曲げて成る支軸３の先端に蚊取り線香を保持するための細長い爪２を設けた線香立てにおいて、蚊取り線香の中央の切れ込みをこの線香立ての爪２に差し込んだとき、線香から突き出た爪２の先が約１ｃｍになるように爪２を長くするとともに、この線香立てそのものを吊り下げるための孔を台座１と爪２の先端付近のいずれか一方に、又は両方に設ける。【選択図】図１
0003172977.tif 000002
【実用新案登録請求の範囲】
【請求項１】
薄い金属製の台座１とこの台座１の一部を折り曲げて成る支軸３の先端に蚊取り線香を保持するための細長い爪２を設けた線香立てにおいて、蚊取り線香の中央の切れ込みをこの線香立ての爪２に差し込んだとき、線香から突き出た爪２の先が約１センチになるように爪２を長くしたことを特徴とする線香立て
【請求項２】
薄い金属製の台座１とこの台座１の一部を折り曲げて成る支軸３の先端に蚊取り線香を保持するための細長い爪２を設けた線香立てにおいて、この線香立てを吊り下げるための孔を台座１と爪２の先端付近のいずれか一方に、又は両方に設けたことを特徴とする線香立て
【考案の詳細な説明】
【技術分野】
【０００１】薄い金属製の台座１とこの台座１の一部を折り曲げて成る支軸３の先端に蚊取り線香を保持するための爪２を設けた線香立てにおいて、線香をセットしたとき線香から突き出た爪２を摘み易くするとともに、この線香立てそのものを吊り下げることができるように考案した線香立てに関するものである。
【背景技術】
【０００２】従来は、薄い金属製の台座１とこの台座１の一部を折り曲げて成る支軸３の先端に蚊取り線香を保持するための細長い爪２を設けた線香立てにおいて、線香をセットしたとき線香から突き出た爪２が短くて摘みにくかったとともに、台座１や爪２の一部に線香立てを吊り下げるための孔を設けた線香立てはなかった。
【先行技術文献】
【考案の概要】
【考案が解決しようとする課題】
【０００３】薄い金属製の台座１とこの台座１の一部を折り曲げて成る支軸３の先端に蚊取り線香を保持するための爪２を設けた線香立てにおいて、線香をセットしたとき線香から突き出た爪２を摘み易くするとともに、この線香立てそのものを吊り下げることができるようにする。
【課題を解決するための手段】
【０００４】課題を解決するための手段の例を次に示す。【０００５】薄い金属製の台座１とこの台座１の一部を折り曲げて成る支軸３の先端に蚊取り線香を保持するための細長い爪２を設けた線香立てにおいて、蚊取り線香の中央の切れ込みをこの線香立ての爪２に差し込んだとき、線香から突き出た爪２の先が約１センチになるように爪２を長くする。【０００６】薄い金属製の台座１とこの台座１の一部を折り曲げて成る支軸３の先端に蚊取り線香を保持するための細長い爪２を設けた線香立てにおいて、この線香立てを吊り下げるための孔を台座１と爪２の先端付近のいずれか一方に、又は両方に設ける。
【考案の効果】
【０００７】本考案の線香立てに蚊取り線香をセットしたとき、爪２の先端が約１センチ突き出ているので爪２を摘み易く、点火、消火及び線香の移動がし易く便利である。【０００８】蚊取り線香を屋外でガーデニングなどで使用するとき特別な保持具を必要とせず、本考案の線香立てを木の枝などに吊り下げることができるので便利である。
なお、吊り下げ具５は、使用者において針金などを用いて適宜作成する。【０００９】本考案の線香立てを木の枝などに吊り下げることによって、足元に線香がないので移動するとき線香を気にする必要がなく便利である。
【図面の簡単な説明】
【００１０】
【図１】線香立ての台座１に孔４を設けた本考案の一実施例の平面図である。
【図２】台座１の外周が完全につながった状態の一実施例の平面図である。
【図３】爪２に設けた穴で線香立てを吊り下げた本考案の一実施例の側面図である。
【図４】孔４で線香立てを吊り下げた本考案の一実施例の側面図である。
【考案を実施するための最良の形態】
【００１１】蚊取り線香の中央の切れ込みをこの線香立ての爪２に差し込んだとき、線香から突き出た爪２の先が約１センチになるように爪２を長くする。【００１２】図２のように台座１の外周が完全につながった状態の場合は、台座１に線香立てを吊り下げるための孔を開ける必要はない。【００１３】吊り下げ具５は、使用者において針金などを用いて適宜作成する。
【産業上の利用可能性】
【００１４】既存の線香立ての台座１や爪２に吊り下げるための孔を開けるとともに、爪２をわずかに長くするだけのため、低コストで量産し易い。
【符号の説明】
【００１５】１  台座
２  爪
３  支軸
４  孔
５  吊り下げ具
６  線香
【図１】
0003172977.tif 000003
【図２】
0003172977.tif 000004
【図３】
0003172977.tif 000005
【図４】
0003172977.tif 000006
(57)【要約】【課題】  東洋医学の観点から効果的にツボを温めることが出来る５本指付きレッグウォーマーを供する。【解決手段】  レッグウォーマーを足の甲側から５本の指までを温める構造とし、且つ指先と足の裏を開けることにより、長時間でも違和感なく足先からふくらはぎまでを同時に温められるようにした。【選択図】図１
0003172979.tif 000002
【実用新案登録請求の範囲】
【請求項１】
５本の指を付けることを特徴とするレッグウォーマー。
【請求項２】
５本の指先を切り取ったことを特徴とする請求項１記載のレッグウォーマー。
【請求項３】
足の裏の部分に半楕円形の穴をあけたことを特徴とする請求項１または２記載のレッグウォーマー。
【請求項４】
踵を付けたことを特徴とする請求項１ないし３のいずれかに記載のレッグウォーマー。
【請求項５】
指から足の甲側、踵を覆う部分が一体化している構造であることを特徴とする請求項２ないし４のいずれかに記載のレッグウォーマー。
【請求項６】
指から足の甲側、踵、足首を覆う部分が一体化している構造であることを特徴とする請求項１ないし３のいずれかに記載のレッグウォーマー。
【請求項７】
指から足の甲側、踵、足首、ふくらはぎを覆う部分が一体化している構造であることを特徴とする請求項３ないし４のいずれかに記載のレッグウォーマー。
【考案の詳細な説明】
【技術分野】
【０００１】  この考案は、足の専門家リフレクソロジストが考える冷え症対策、免疫力向上の為に履くレッグウォーマーの形状に関する。
【背景技術】
【０００２】  従来のレッグウォーマーの形状は、図４に示すように、殆どがただの筒状のものか、あってもそれに踵をつけただけのものである。
【先行技術文献】
【特許文献】
【０００３】
【特許文献１】実用新案登録第３０８８４７８号
【考案の概要】
【考案が解決しようとする課題】
【０００４】  しかしながら、以上の技術によれば、足首やふくらはぎ等を単に温めるだけのものであり、東洋医学の考え方である足の反射区（一般的にツボと言われるもの。以下ツボと称する）の観点から考える「冷え症対策」や「免疫力向上」等、特定の目的に対応したツボを個別・単体に温めることしか出来ない。更に、市販されているものは健康を考えた体に良いものではなく、おしゃれ重視のものが多い。
そこで、この考案は、足の専門家リフレクソロジストの観点から、「冷え症対策」や「免疫力向上」等の足のツボを、一足のレッグウォーマーで同時に温める事が出来、休息時にも着用しやすい、東洋医学の観点から健康に資するためのレッグウォーマーを提供することを課題とする。
【課題を解決するための手段】
【０００５】  以上の課題を解決するために、第一考案は、５本の指を付けることを特徴とするレッグウォーマーである。
また、第二考案は、５本の指先を切り取ることを特徴とするレッグウォーマーである。
また、第三考案は、足の裏の部分に半楕円形の穴をあけることを特徴とするレッグウォーマーである。
また、第四考案は、踵を付けたことを特徴とするレッグウォーマーである。
また、第五考案は、指から足の甲側、踵を覆う部分が一体化している構造であることを特徴とするレッグウォーマーである。
また、第六考案は、指から足の甲側、踵、足首を覆う部分が一体化している構造であることを特徴とするレッグウォーマーである。
また、第七考案は、指から足の甲側、踵、足首、ふくらはぎを覆う部分が一体化している構造であることを特徴とするレッグウォーマーである。
【考案の効果】
【０００６】  第一考案によれば、親指の第二関節にある扁桃腺のツボ、各指の股にある八風という冷え症対策のツボを温めることが出来る。
また、第二考案によれば、各指先を切り取ることで、足と体が感じる窮屈感がなくなり、休息中にも違和感なく履き続けることができる。
また、第三考案によれば、東洋医学では邪気を出す場所とも言われている足の裏をあけておくことで、足と体が開放感を感じると共に、放熱作用もあり、休息中も違和感なく、長時間履き続けることができる。
また、第四考案によれば、子宮・卵巣のツボがある踵を温めることで女性特有の生理痛や妊娠中のむくみ等の症状改善を期待することが出来る。
また、第五考案によれば、ノド、気管支、胸部リンパ等のツボがある甲側を温めることで免疫力向上が期待出来る。
また、第六考案によれば、リンパのツボがある足首、東洋医学では「第二の心臓」とも呼ばれ、腰痛改善のツボがある、ふくらはぎを温めることで腰痛改善や血行促進に効果を期待することが出来る。
また、第七考案によれば、足先の冷え症対策のツボから免疫力向上のツボ、腰痛予防のツボなどを同時に温めることが出来る。
【図面の簡単な説明】
【０００７】
【図１】この考案の一実施形態を示す斜視図である。
【図２】この考案を足に着用した時の斜視図である。
【図３】この考案で効果を示すツボの説明図である。
【図４】従来技術を示す斜視図である。
【考案を実施するための形態】
【０００８】  この考案の一実施形態を、図１に示す。
レッグウォーマーには、まず５本の指１が付けられており、その指先は切り取られ２、指先が出るようになっており、足の裏の部分は、半楕円形に切り取ってある３。また、靴下のように踵４が付けられている。そして、その先に甲の部分５があり、足首６からふくらはぎ７にかけて、適度なゆるみがある筒状の形になっている。
【実施例】
【０００９】  この実施形態によれば、図３若石（じゃくせき）台湾式足もみ反射区による足ツボ説明に示すように、５本指があることで、Ａ「扁桃腺」のツボを温め、指の股を温めることでＢ「八風」という冷え症改善のツボに効果が期待出来る。また、指先が切り取られているＣことで身体に窮屈感を与えず、Ｄの足裏を半楕円形もしくはその他の形状で切り取ってあることで開放感が得られ、放熱作用もあり、休息中に長時間履き続けることが出来る。踵が付けられていることでＥ「子宮・卵巣」のツボが温められ、女性特有の症状に効果が期待され、甲の部分があることでＦ「ノド・気管支・胸部リンパ等免疫力向上」のツボが温められ、足首にはＧ「リンパ」のツボがあり、Ｈふくらはぎは「腰痛改善」のツボである。これらのツボを一足のレッグウォーマーで同時に温めることが出来るようになると、足ツボから体質改善を目指すことが期待出来る。【００１０】  図１の実施形態では、足の裏の部分３は半楕円形もしくはその他の形状で切り取ってあるが、他の実施形態では、指先部分２のカバーや足の裏部分３をメッシュ等軽めの素材の物をカバーにしたものでも良い。
また、足首等の部分で上下を切り離し可能なセパレートタイプであっても、同様の効果が期待出来る。
【符号の説明】
【００１１】１．指  ２．指先は切り取られている  ３．足の裏部分は半楕円形に切り取られている  ４．踵  ５．甲  ６．足首  ７．ふくらはぎ
Ａ．扁桃腺  Ｂ．八風  Ｃ．指先は切り取られている  Ｄ．足の裏の部分は半楕円形に切り取られている  Ｅ．子宮・卵巣  Ｆ．ノド・気管支・胸部リンパ  Ｇ．上半身・下半身のリンパ  Ｈ．腰痛予防
【図１】
0003172979.tif 000003
【図２】
0003172979.tif 000004
【図３】
0003172979.tif 000005
【図４】
0003172979.tif 000006